(57)【特許請求の範囲】
【請求項１】
用紙に折り加工等の処理を施す用紙処理装置において、
前記用紙のサイズがノビサイズであるか否かを判断する判断手段と、
前記判断手段の判断結果に基づいて折り目の位置を変更する変更手段と、
前記用紙のサイズがノビサイズである場合、前記用紙を折り目の延長線方向から見てＺ字状に２回折り曲げると共に、２つの折り目の双方を折り後の用紙の端縁より内側に位置させる折り手段と、を有することを特徴とする用紙処理装置。
【請求項２】
前記用紙は最終的に切除される部分を含むノビサイズの用紙であって、
前記用紙処理装置は、さらに、前記折り目の外側と折り後の用紙の端縁との間で該用紙を切断する切断手段を有することを特徴とする請求項１に記載の用紙処理装置。
【請求項３】
前記切断装置は、折り加工をしない用紙を含む複数の用紙を同時に切断することを特徴とする請求項２に記載の用紙処理装置。
【請求項４】
用紙に折り加工等の処理を施す用紙処理方法において、
前記用紙のサイズがノビサイズであるか否かを判断する判断工程と、
前記判断工程における判断結果に基づいて折り目の位置を変更する変更工程と、
前記用紙のサイズがノビサイズである場合、前記用紙を折り目の延長線方向から見てＺ字状に２回折り曲げると共に、２つの折り目の双方を折り後の用紙の端縁より内側に位置させる折り工程と、を有することを特徴とする用紙処理方法。
【発明の詳細な説明】
【０００１】
【発明の属する技術分野】
本発明は、複写機やプリンタなどの画像形成装置によって印刷された用紙に、折り加工等の処理を施す用紙処理装置および方法に関する。
【０００２】
【従来の技術】
複写機やプリンタなどの画像形成装置から搬送される印刷済みの用紙に、種々の後処理を施す用紙処理装置としてのフィニッシャが種々提案されている。上記後処理は、用紙を各部数に仕分けたり、ステープルを用いて綴じたり、用紙に折り加工を施したり、ファイル用のパンチ孔を明けたり、用紙の周辺を切断したりする種々の処理を含む。
【０００３】
フィニッシャは、一般に、用紙に複数の種類の折り加工を施すことができ、これにより用紙は種々の形態に折られる。折り加工の一つとしては、用紙を折り目の延長線方向から見てＺ字状に２回折り曲げる、Ｚ折りと呼ばれる折り加工が知られている。
【０００４】
例えば、Ａ４サイズの用紙を複数枚束ねて製本するとき、Ｚ折りされたＡ３サイズの用紙をＡ４サイズの用紙の中に挿入することができる。Ｚ折りされた用紙を利用すれば、用紙１ページ分の印刷面積がＺ折りされない用紙に比べ約２倍に広がる。したがって、用紙上に表や図等を大きく、しかも多様な配置や形態で印刷することができ、印刷された用紙はきわめて見やすくなる。
【０００５】
【発明が解決しようとする課題】
ところで、上記従来の用紙処理装置は、用紙を複数枚束ねて製本するとき、製本後の仕上がりを見栄え良くきれいにするために、印刷された複数の用紙を揃えてから用紙束の周辺を切断する場合がある。
【０００６】
例えば、用紙束の周辺を切断してＡ４サイズの本を作る場合、最終的に切除される余剰部分を含みＡ４サイズより一回り大きいＡ４ノビサイズの用紙が使用される。そして、Ａ４ノビサイズの用紙は、その中央付近に印刷が行われた後に、複数枚揃えられてから用紙束の周辺が切断される。
【０００７】
しかしながら、Ａ４ノビサイズの用紙の中にＺ折りされたＡ３ノビサイズの用紙が挿入されている場合、用紙束の周辺を切断すると、Ｚ折りされたＡ３ノビサイズの用紙の端縁に位置する折り目の部分が切除されてしまう、という問題がある。つまり、折り目の部分が切除されると、Ａ３ノビサイズの用紙は、２つに分離されてしまい、所望する製本を行うことができなくなる。
【０００８】
本発明は、上記した従来技術の問題点に鑑みてなされたものであり、本発明の目的は、Ｚ折りされた用紙を含む用紙束の周辺を切断したとき、折り目の部分が切除されることによってＺ折りされた用紙が分離してしまう事態を防止することができる用紙処理装置および方法を提供することにある。
【０００９】
【課題を解決するための手段】
本発明の目的は、下記する手段により達成される。
【００１０】
（１）  用紙に折り加工等の処理を施す用紙処理装置において、前記用紙のサイズがノビサイズであるか否かを判断する判断手段と、前記判断手段の判断結果に基づいて折り目の位置を変更する変更手段と、前記用紙のサイズがノビサイズである場合、前記用紙を折り目の延長線方向から見てＺ字状に２回折り曲げると共に、２つの折り目の双方を折り後の用紙の端縁より内側に位置させる折り手段と、を有することを特徴とする用紙処理装置。
【００１１】
（２）  前記用紙は最終的に切除される部分を含むノビサイズの用紙であって、前記用紙処理装置は、さらに、前記折り目の外側と折り後の用紙の端縁との間で該用紙を切断する切断手段を有することを特徴とする上記（１）に記載の用紙処理装置。
【００１２】
（３）  前記切断装置は、折り加工をしない用紙を含む複数の用紙を同時に切断することを特徴とする上記（２）に記載の用紙処理装置。
【００１４】
（４）  用紙に折り加工等の処理を施す用紙処理方法において、前記用紙のサイズがノビサイズであるか否かを判断する判断工程と、前記判断工程における判断結果に基づいて折り目の位置を変更する変更工程と、前記用紙のサイズがノビサイズである場合、前記用紙を折り目の延長線方向から見てＺ字状に２回折り曲げると共に、２つの折り目の双方を折り後の用紙の端縁より内側に位置させる折り工程と、を有することを特徴とする用紙処理方法。
【００１５】
【発明の実施の形態】
以下、添付した図面を参照して、本発明の実施の形態について説明する。
【００１６】
図１は、本発明の実施形態であるフィニッシャが備えられた複写システムを示す概略構成図、図２は、フィニッシャの折り装置の要部拡大図である。
【００１７】
図１に示すように、複写システムは、複写機１０とフィニッシャ４０とで構成されている。複写機１０は、周知の電子写真方法によって用紙上に印刷を行う。印刷済みの用紙は、印刷面を上に向けて排紙部１１から１枚ずつ排出される。
【００１８】
複写機１０の上部には、自動原稿搬送装置（ＡＤＦ）２０が搭載されている。ＡＤＦ２０は、トレイ２１上にセットされた原稿群を１枚ずつ複写機１０のプラテンガラス（図示せず）上に送り込み、画像読み取り終了後、原稿をトレイ２２上に排出する。ＡＤＦ２０によって自動的に、あるいは操作者によって手動でプラテンガラス上にセットされた原稿は、複写機１０に内蔵されているイメージリーダ（図示せず）によってその画像が読み取られ、デジタルデータに変換されて制御部（図示せず）のメモリに格納される。
【００１９】
印刷動作は、記憶されている画像データを読み出すことにより、必要な編集を加えて実行される。制御部は、原稿のページ順を変えて印刷する処理、原稿画像を１８０゜回転させて印刷する画像反転処理、あるいは２枚の原稿画像を１枚の用紙上に並べて印刷する処理、用紙の表裏面に印刷する両面印刷等の処理を行わせることができる。
【００２０】
フィニッシャ５０は、複写機１０の排出部１１から排出され１枚ずつ搬送される用紙に対し、必要に応じて、用紙の中央で折る２つ折りや折り目の延長線方向から見てＺ字状に２回折り曲げるＺ折り等の折り加工、用紙束をステープルで綴じるステープル処理、および、用紙束の周辺を切断する切断処理を、選択的にあるいは組み合わせて行うことができる。
【００２１】
図１に示すように、フィニッシャ５０は、折り装置３０と切断装置４０とを備えている。
【００２２】
折り装置３０は、複写機１０の排出部１１から排出された用紙を折り装置３０内に搬入する搬入ローラ対３１と、ローラ間に用紙を挟み込んで折り目を付ける紙折り部３２と、用紙を折り装置３０から排出する排出ローラ対３３とを有している。
【００２３】
また、折り装置３０は、搬入ローラ対３１と紙折り部３２との間の用紙搬送路の途上に設けられ、用紙の搬送先を切り換える切換爪３４と、用紙を紙折り部３２に対し搬入あるいは搬出させる搬送ローラ群３５と、紙折り部３２内へ搬入された用紙の傾き補正を行うレジストローラ対３６とを備えている。切換爪３４は、用紙を紙折り部３２に送り込むか否かを切り換える。
【００２４】
図２にも拡大して示すように、紙折り部３２は、複数の紙折りローラ３２１、３２２、３２３を備えている。用紙１は、後で詳述するように、紙折りローラ対３２１、３２２間に挟み込まれることにより第１の折り目が付けられ、次いで、紙折りローラ対３２１、３２３間に挟み込まれることにより第２折り目が付けられる。
【００２５】
また、紙折り部３２は、レジストローラ対３６から受けとった用紙の第１の折り位置の規制を行う第１搬送部３２４と、第２の折り位置の規制を行う第２搬送部３２５とを備えている。
【００２６】
第１搬送部３２４は、用紙サイズに合わせて図示矢印Ｆ方向に用紙搬送路内に進退移動すると共に、Ａ３サイズ（２９７ｍｍ×４２０ｍｍ）の用紙先端に当接して当該用紙の第１折り位置を規制する折りストッパ３２６を有している。すなわち、折りストッパ３２６は、用紙がＡ３サイズより一回り大きいＡ３ノビサイズ（３２９ｍｍ×４８３ｍｍ）である場合、図中実線で示される用紙搬送路内から退避した位置に移動させられ、一方、用紙がＡ３サイズである場合、図中２点鎖線で示される用紙搬送路内に進出した位置に移動させられる。
【００２７】
フィニッシャ５０は、用紙が最終的に切除される部分を含んでいるか否か、つまりＡ３ノビサイズかＡ３サイズかを判断し、該判断結果に基づいて折りストッパ３２６を進退移動させて折り目の位置を変更する。したがって、最終的に切除される部分を含む用紙および該部分を含まない用紙、つまりＡ３ノビサイズの用紙およびＡ３サイズの用紙のいずれについても、折り畳んだ状態で所望のサイズにすることができる。なお、Ａ３ノビサイズの用紙およびＡ３サイズの用紙のいずれを使用するかの情報は、例えばあらかじめ複写機の図示しない操作パネル等で設定することができる。
【００２８】
次に、用紙をＺ折りするための紙折り部の動作について説明する。
【００２９】
図３は、用紙をＺ折りする方法を説明するための図、図４は、Ｚ折りされた用紙の斜視図、図５は、図４のＩ方向から見た図である。
【００３０】
Ｚ折りは、大サイズ（例えばＡ３サイズ）の用紙を、折り目の延長線方向から見てＺ字状に２回折り曲げて、折り後の用紙搬送方向に沿う長さを、折り前の長さの略半分のサイズ（例えばＡ４サイズ）に仕上げる折り加工である。
【００３１】
複写機１０の排出部１１から排出された用紙は、印刷面を上にして切換爪３４まで搬送され、折り加工を行う場合には、切換爪３４により図１の下方へ案内される。用紙は、搬送ローラ群３５によりさらに搬送され、レジストローラ対３６において用紙先端の傾きを補正する動作がなされた後、第１搬送部３２４に向けて搬送される。なお、用紙に折り加工を施さない場合、用紙は、切換爪３４により図１の左方へ案内され、そのまま排出ローラ対３３により折り装置３０から排出される。
【００３２】
用紙１がＡ３ノビサイズである場合、折りストッパ３２６は、あらかじめ第１搬送部３２４内から退避した位置に移動させられる。したがって、図３（Ａ）に示すように、図中矢印Ｇ方向に搬送される用紙１の先端は、第１搬送部３２４の底部に当接する。なお、用紙がＡ３サイズである場合、搬送される用紙１の先端は、用紙搬送路内に進出している折りストッパ３２６に当接する。用紙１は、さらに搬送し続けられることにより紙折りローラ対３２１、３２２の近傍にループが形成され、ついには紙折りローラ対３２１、３２２の間にかみ込まれる。これにより、図３（Ｂ）に示すように、第１の折り目１ａが形成される。
【００３３】
次いで、第１の折り目１ａが形成された用紙１は、図３（Ｃ）に示すように、紙折りローラ対３２１、３２２の回転により第２搬送部に向けて搬送され、用紙１の第１の折り目１ａの先端が、第２搬送部３２５の底部に当接する。用紙１は、さらに搬送し続けられることにより紙折りローラ対３２２、３２３の近傍にループが形成され、今度は紙折りローラ対３２２、３２３の間にかみ込まれる。これにより、図３（Ｄ）に示すように、第２の折り目１ｂが形成される。紙折りローラ対３２２、３２３は、用紙１に形成されたループが接近したときにのみ用紙のループをかみ込んで搬送する。なお、紙折りローラ３２３を紙折りローラ３２２に対して接離可能とし、用紙１に形成されたループがローラに接近した所定時に、紙折りローラ３２３を紙折りローラ３２２に圧接する構成とすることもできる。
【００３４】
第２の折り目１ｂが形成されると、用紙１は、図４および図５に示すように、Ｚ折りされることになる。Ｚ折りが完了した用紙１は、紙折りローラ対３２２、３２３により図中上方に搬送され、搬送ローラ群３５を経て、排出ローラ対３３により折り装置３０から排出される。
【００３５】
図４および図５に示すように、Ｚ折りされたＡ３ノビサイズの用紙は、２つの折り目１ａ、１ｂにより、用紙搬送方向の長さがそれぞれＰ、Ｑ、Ｒとなる３つの部分に分けられる。
【００３６】
上記長さＰ、Ｑ、Ｒは、Ａ３ノビサイズの用紙における折り前の用紙搬送方向全長（長辺長さ）をＬ３（図７参照）、紙折りローラ対３２１、３２２の間のかみ込み部から第１搬送部３２４の底部までの距離をＡ、紙折りローラ対３２２、３２３の間のかみ込み部から第２搬送部３２５の底部までの距離をＢとすると、
Ｐ＝Ｌ３−Ａ            …（１）
Ｑ＝Ｂ                  …（２）
Ｒ＝Ａ−Ｂ              …（３）
にて求めることができる。
【００３７】
一方、Ａ３サイズの用紙を使用した場合、２つの折り目１ａ、１ｂにより３つに分けられた部分の用紙搬送方向の長さＰ′、Ｑ′、Ｒ′は、Ａ３サイズの用紙における折り前の用紙搬送方向全長（長辺長さ）をＬ３′、紙折りローラ対３２１、３２２の間のかみ込み部から第１搬送部３２４内に進出している折りストッパ３２６までの距離をＡ′とすると、
Ｐ′＝Ｌ３′−Ａ′      …（４）
Ｑ′＝Ｂ                …（５）
Ｒ′＝Ａ′−Ｂ          …（６）
にて求めることができる。
【００３８】
ここで、Ａ３ノビサイズの用紙における用紙搬送方向全長（長辺長さ）が、Ａ３サイズの用紙における用紙搬送方向全長（長辺長さ）よりも、片側で差Ｄだけ大きいとすると（図７参照）、
Ｌ３＝Ｌ３′＋２×Ｄ    …（７）
である。また、図２に示すように、上記距離Ａが、上記距離Ａ′よりも、差Ｅだけ大きいとすると、
Ａ＝Ａ′＋Ｅ            …（８）
が成立する。
【００３９】
上記式（１）〜（８）より以下の式が導かれる。すなわち、
0003864653.tif 000002
となる。
【００４０】
したがって、例えば、上記差Ｅを、Ｅ＝Ｄに設定した場合には、Ｚ折りされた後のＡ３ノビサイズの用紙の端縁１ｃ、１ｄは、Ｚ折りされた後のＡ３サイズの用紙の端縁に対して、用紙搬送方向の両側に均等にＥだけ離れた位置に設定される。但し、後述するように、第２の折り目１ｂとＺ折りされた後のＡ３ノビサイズの用紙の端縁１ｄとの間で用紙を切断する場合には、両者間の距離を大きく取る方が切断作業が容易となる。この場合、上記差Ｅは、０＜Ｅ＜Ｄの範囲内で適宜設定される。また、複写機により印刷される用紙上の印刷位置を、適宜調整することも可能である。
【００４１】
上記のように、本実施形態の折り装置３０は、Ｚ折りされたＡ３ノビサイズの用紙に形成された２つの折り目１ａ、１ｂのいずれをも、折り後の用紙の端縁１ｃ、１ｄより内側に位置させる。結果として、Ｚ折り後の用紙の周辺に、折り目にかからずに最終的に切除可能な部分を位置させることができる。したがって、例えば複数の用紙を束ねて製本する場合等には、折り後の用紙の周辺を折り目を含むことなく切断することができる。これにより、例えば表や図を見やすくするために大きく印刷した用紙も、折り畳んだ状態で所望のサイズに切断することができ、製本時に使用することが可能となる。
【００４２】
切断装置４０は、折り装置３０の排出ローラ対３３から排出された用紙を切断装置４０内に搬入する搬入ローラ対４１と、ストッパ４３を用紙搬送路内に進出させることにより位置決めされ積層された用紙束をステープルで綴じるステープル装置４２と、ストッパ４５を用紙搬送路内に進出させることにより位置決めされた用紙束の周辺を切断する切断装置４４とを有している。なお、ステープル装置４２の代わりに、用紙束の端部を糊付けする装置を設けることもできる。また、ストッパ４３で、用紙束の上記とは反対側の端部を位置決めするようにしてもよい。
【００４３】
切断装置４４は、下部カッター４４１と上部カッター４４２とを有している。用紙束は下部カッター４４１上に載置された状態で、上部カッター４４２が近接移動させられることにより用紙束の周辺が切断される。上部カッター４４２は、用紙束の４辺すべての周辺を切断するために、矩形枠状に形成されている。なお上部カッター４４２は、矩形枠状に限られるものではなく、例えば用紙束の３辺についての周辺を切断するために、コ字形状に形成してもよい。
【００４４】
また、切断装置４０は、搬入ローラ対４１とステープル装置４２との間の用紙搬送路の途上に設けられ、用紙の搬送先を切り換える切換爪４９を備えている。切換爪４９は、用紙をステープル装置４２、切断装置４４に送り込むか否かを切り換える。ステープル処理あるいは切断処理を行わない用紙は、排出ローラ対４６により排出口４７から図示しないトレイ等に排出され、ステープル処理あるいは切断処理が施された用紙束は、排出口４８から図示しないトレイ等に排出される。
【００４５】
次に、フィニッシャが備えられた複写システムの動作について説明する。
【００４６】
図６は、複写システムの基本動作を示すフローチャート、図７〜図１０は、Ａ３ノビサイズの用紙を用いてＡ４サイズの本を製作する方法を説明するための図である。なお、図８〜図１０において、（Ａ）は用紙面の垂直上方から見た図、（Ｂ）は（Ａ）の下から見た図である。
【００４７】
まず、図７に示すように、複写機１０は、Ａ３ノビサイズの用紙に所定の印刷を行う（図６のＳ１）。図７に示される用紙上の英文字は、印刷例である。印刷済みの用紙は、排紙部１１から１枚ずつ排出され、折り装置３０内に送り込まれる。そして、用紙は、切換爪３４により、紙折り部３２に向けて案内される。
【００４８】
紙折り部３２は、折りストッパ３２６を退避させた状態で、図８に示すように、Ａ３ノビサイズの用紙をＺ折りする（図６のＳ２）。紙折り部３２は、用紙に形成された２つの折り目１ａ、１ｂの双方が折り後の用紙の端縁１ｃ、１ｄより内側に位置されるように、Ｚ折りを行う。折り後の用紙の用紙搬送方向の長さＬ４は、Ａ４サイズ（２１０ｍｍ×２９７ｍｍ）の短辺長さＬ４′より一回り大きいサイズとなる。なお、Ａ３ノビサイズをＺ折りして製本する場合には、折り加工の必要のない用紙として、Ａ４サイズより一回り大きいＡ４ノビサイズ（例えば２２４ｍｍ×３５５ｍｍ）の用紙を、Ａ３ノビサイズの用紙と併せて使用することが可能である。
【００４９】
Ｚ折りされた用紙は、排出ローラ対３３により折り装置３０から排出され、切断装置４０内に送り込まれる。また、折り加工されなかった用紙は、搬入ローラ対３１から紙折り部３２を通過することなく、そのまま排出ローラ対３３により排出される。そして、用紙は、切換爪４９により、ステープル装置４２および切断装置４４に向けて案内される。また、製本に必要な他の用紙も、必要に応じて紙折り部３２で折り加工された後、折り装置３０から切断装置４０内に送り込まれ、ステープル装置４２および切断装置４４に向けて案内される。
【００５０】
順次送られる複数の用紙は、搬送路内に進出したストッパ４３により位置決めされる。図９に示すように、ステープル装置４２は、ストッパ４３により位置決めされ積層された用紙束を、ステープルで綴じる（図６のＳ３）。なお、図９では、ステープルは図示省略されている。実際には、順次送られる複数の用紙は、揃える作業や折り加工のばらつき等のため、ストッパ４３や幅方向を規制する図示しない他のストッパによっても、きれいに揃えることは困難である。したがって、図９に示すような若干のズレＫが生じることになる。
【００５１】
次いで、ストッパ４３が搬送路から退避し、綴じられた用紙束が搬送路内に進出したストッパ４５により位置決めされる。切断装置４０は、折り目１ａ、１ｂの外側と折り後の用紙の端縁１ｃ、１ｄとの間で、例えば図９に示すＣ１、Ｃ２位置にて、該用紙を切断する（図６のＳ４）。ここで、図５に示したように、切断位置Ｃ１、Ｃ２間の距離は、Ａ４サイズの搬送方向長さ（短辺長さ）Ｌ４′であり、切断位置Ｃ１と第２の折り目１ｂとの間の距離Ｊは、Ａ４サイズの短辺長さＬ４′より短い。また、用紙の搬送方向に垂直な方向の端辺も同時に切断され、図中の２点鎖線は切断線を示している。
【００５２】
このように本実施形態によれば、図１０に示すように、Ｚ折りされた用紙の折り目の部分を誤って切断して用紙がバラバラになる事態を確実に防止することができる。しかも、切断後のＺ状に折り折り畳んだ状態での用紙のサイズを、折り加工されない用紙のサイズと完全に揃えることができる。したがって、製本する場合には、束ねた複数の用紙のエッジをきれいに揃えることが可能となる。
【００５３】
なお、以上説明した実施形態は、本発明を限定するために記載されたものではなく、本発明の技術的思想内において当業者により種々変更が可能である。
【００５４】
例えば、上記実施形態では、紙折りローラ３２１、３２２、３２３、折り位置の規制を行う第１搬送部３２４、および第２搬送部３２５を備えた紙折り部３２について説明したが、本発明の紙折り部は、用紙に形成された２つの折り目の双方が折り後の用紙の端縁より内側に位置されるようにＺ折りを行う構成であれば、上記構成に限定されるものではない。
【００５５】
また、上記実施形態では、Ａ４サイズの本を製作する例について説明したが、Ａ４サイズに限られず、例えばＢ５サイズ等、種々のサイズの本を製作する場合にも適用することができる。この場合、用紙サイズに応じて折り位置を変化させるためのストッパを、第１および第２搬送部の用紙搬送路内に進退移動可能に、適宜追加して配置することができる。
【００５６】
また、上記実施形態では、用紙処理装置としてのフィニッシャを複写機に付設した例について説明したが、例えばフィニッシャをプリンタに付設した場合にも適用することができる。プリンタを使用する場合、プリンタに接続されたコンピュータから、用紙のサイズ、折り加工等に関する情報を伝達することが可能である。
【００５７】
また、上記実施形態では、フィニッシャ５０は折り装置３０と切断装置４０とを備えているが、切断装置４０を省略することも可能である。この場合、折り装置３０から排出されるＺ折りされた用紙を含む複数の用紙は、別の切断機ないし製本機を用いて処理される。
【００５８】
【発明の効果】
以上説明したように本発明によれば、請求項毎に以下の効果を奏する。
【００５９】
請求項１，４に記載の発明によれば、Ｚ折り後の用紙の周辺に、折り目にかからずに最終的に切除可能な部分を位置させることができる。したがって、例えば複数の用紙を束ねて製本する場合等には、折り後の用紙の周辺を折り目を含むことなく切断することができる。これにより、例えば表や図を見やすくするために大きく印刷した用紙も、折り畳んだ状態で所望のサイズに切断することができ、製本時に使用することが可能となる。
また、最終的に切除される部分を含む用紙および該部分を含まない用紙のいずれについても、折り畳んだ状態で所望のサイズにすることができる。
【００６０】
請求項２に記載の発明によれば、請求項１に記載の発明の効果に加え、折り目の部分を誤って切断して用紙がバラバラになる事態を確実に防止することができる。
【００６１】
請求項３に記載の発明によれば、請求項２に記載の発明の効果に加え、切断後のＺ状に折り折り畳んだ状態での用紙のサイズを、折り加工されない用紙のサイズと完全に揃えることができる。したがって、製本する場合には、束ねた複数の用紙のエッジをきれいに揃えることが可能となる。
【図面の簡単な説明】
【図１】  本発明の実施形態であるフィニッシャが備えられた複写システムを示す概略構成図である。
【図２】  フィニッシャの折り装置の要部拡大図である。
【図３】  用紙をＺ折りする方法を説明するための図である。
【図４】  Ｚ折りされた用紙の斜視図である。
【図５】  図４のＩ方向から見た図である。
【図６】  複写システムの基本動作を示すフローチャートである。
【図７】  Ａ３ノビサイズの用紙を用いてＡ４サイズの本を製作する方法を説明するための図である。
【図８】  図７に続く製本方法を説明するための図である。
【図９】  図８に続く製本方法を説明するための図である。
【図１０】  図９に続く製本方法を説明するための図である。
【符号の説明】
１…用紙、
１ａ，１ｂ…折り目、
１ｃ，１ｄ…端縁、
１０…複写機、
２０…自動原稿搬送装置、
３０…折り装置（折り手段）、
４０…切断装置（切断手段）、
５０…フィニッシャ（用紙処理装置）。
【図１】
0003864653.tif 000003
【図２】
0003864653.tif 000004
【図３】
0003864653.tif 000005
【図４】
0003864653.tif 000006
【図５】
0003864653.tif 000007
【図６】
0003864653.tif 000008
【図７】
0003864653.tif 000009
【図８】
0003864653.tif 000010
【図９】
0003864653.tif 000011
【図１０】
0003864653.tif 000012